(57)【特許請求の範囲】
【請求項１】
噴霧液貯留ユニットと該噴霧液貯留ユニットを内部に支持する本体とを有しており、噴霧液貯留ユニットが貯留タンク内に収納された噴霧液を該貯留タンク外へと吸い上げる芯材を備えており、本体が噴霧液貯留ユニットを支持する支持部材に対して開閉可能に被せられる蓋部材を備えており、蓋部材には支持部材に対して該蓋部材を閉じた状態で該支持部材に支持された噴霧液貯留ユニットの芯材の水平方向を向く前面と対向する位置に噴霧口が形成されていると共に噴霧液貯留ユニットに貯留された噴霧液を噴霧化する振動子ユニットが取り付けられており、振動子ユニットは蓋部材の噴霧口が形成された前面の両側から立ち上がる側面に対して前後方向へ回転可能に架け渡される支持アームと該支持アームに固定される振動子とを備えており、支持部材に対して蓋部材を閉じた際に、振動子ユニットの重さによって後方へ回転する支持アームの回転が芯材の水平方向を向く前面に密着する振動子によって規制された状態となり、振動子が振動子ユニットの重さによって芯材の水平方向を向く前面に押圧された状態となることを特徴とする液体噴霧装置。
【請求項２】
芯材が振動子と密着する前面を含む先端部と該先端部から貯留タンク内へと伸びる元端部とに分割されている請求項１記載の液体噴霧装置。
【発明の詳細な説明】
【技術分野】
【０００１】
本発明は、液体噴霧装置に関するものである。
【背景技術】
【０００２】
周知のとおり、従来から液体状の芳香剤などを噴霧する液体噴霧装置として噴射ガスを用いたスプレー缶式のものが存在するが、当該スプレー缶式の液体噴霧装置においては、可燃性のガスを使用する必要があり、また、当該ガスは身体にも良い影響を与えるものとは言えないため、安全性に欠けることから、近年においては、超音波振動を発生させる振動子によって液体状の芳香剤などを噴霧する振動子式の液体噴霧装置が多数開発されている。
【０００３】
前記振動子を用いた液体噴霧装置として後出特許文献１には、噴霧液を貯留する貯液タンクと、噴霧液をミスト化するミスト生成手段と、該ミスト生成手段に前記貯液タンク内の噴霧液を供給する噴霧液供給手段と、を有する噴霧装置において、前記噴霧液供給手段は、一端が前記貯液タンク内の所定の位置に配置され該貯液タンク内の噴霧液を吸収する第１保液体と、該第１保液体の他端に当接され所定の内径及び外径を有する略円筒状の第２保液体と、一端が第２保液体の外周面に所定の接触圧力で当接され他端が前記ミスト生成手段に所定の接触圧力で当接される第３保液体と、を備える噴霧装置が開示されている。
【先行技術文献】
【特許文献】
【０００４】
【特許文献１】特開２０１０−７８９９号公報
【発明の概要】
【発明が解決しようとする課題】
【０００５】
ところが、前記特許文献１に開示された噴霧装置においては、噴霧液を貯留する貯液タンクを該貯液タンク内の噴霧液を吸収する保液体から取り外して該貯液タンクのみを着脱して噴霧液を補充する構造になっているため、長期間使用し続けると、噴霧液内に含有している固形成分や不純物が保液体内に詰まった状態となり、保液体によって噴霧液を吸い上げることができなくなるという問題点あり、また、保液体はＬ字状のケーシング内に収納されているため、ケーシングから保液体を取り外すことが困難であり、保液体を容易に取り替えることができないという問題点があった。
【０００６】
そこで、本発明者は、振動子式の液体噴霧装置において、噴霧液を貯留する貯留タンクを該貯留タンクから噴霧液を吸い上げる芯材と共に容易に取り替えることができる液体噴霧装置を得ることを技術的課題として、その具現化をはかるべく、試行錯誤的に試作・実験を重ねた。
【課題を解決するための手段】
【０００７】
その結果、噴霧液貯留ユニットと該噴霧液貯留ユニットを内部に支持する本体とを有し、噴霧液貯留ユニットが貯留タンク内に収納された噴霧液を該貯留タンク外へと吸い上げる芯材を備え、本体が噴霧液貯留ユニットを支持する支持部材に対して開閉可能に被せられる蓋部材を備えた液体噴霧装置において、蓋部材に支持部材に対して該蓋部材を閉じた状態で噴霧液貯留ユニットが備える芯材の水平方向を向く前面と対向するように噴霧口を形成すると共に該蓋部材の内側に噴霧口と向かい合う振動子を設置し、支持部材に対して蓋部材を閉じた状態において該蓋部材の内側に設置された振動子を支持部材に支持された噴霧液貯留ユニットが備える芯材の水平方向を向く前面に対して押圧状態で密着する構造にすれば、支持部材に対して蓋部材を開くことによって同時に芯材から振動子が取り外された状態となり、支持部材に支持された噴霧液貯留ユニットを容易に着脱することができるという刮目すべき知見を得、前記技術的課題を達成したものである。
【０００８】
前記技術的課題は、次の通りの本発明によって解決できる。
【０００９】
すなわち、本発明に係る液体噴霧装置は、噴霧液貯留ユニットと該噴霧液貯留ユニットを内部に支持する本体とを有しており、噴霧液貯留ユニットが貯留タンク内に収納された噴霧液を該貯留タンク外へと吸い上げる芯材を備えており、本体が噴霧液貯留ユニットを支持する支持部材に対して開閉可能に被せられる蓋部材を備えており、蓋部材には支持部材に対して該蓋部材を閉じた状態で噴霧液貯留ユニットが備える芯材の水平方向を向く前面と対向するように噴霧口が形成されていると共に噴霧液貯留ユニットに貯留された噴霧液を噴霧化する振動子ユニットが取り付けられており、振動子ユニットは蓋部材の噴霧口が形成された前面の両側から立ち上がる側面に対して前後方向へ回転可能に架け渡される支持アームと該支持アームに固定される振動子とを備えており、支持部材に対して蓋部材を閉じた際に、振動子ユニットの重さによって後方へ回転する支持アームの回転が芯材の水平方向を向く前面に密着する振動子によって規制された状態となり、振動子が振動子ユニットの重さによって芯材の水平方向を向く前面に押圧された状態となるものである。
【００１０】
また、本発明は、前記液体噴霧装置において、芯材が振動子と密着する前面を含む先端部と該先端部から貯留タンク内へと伸びる元端部とに分割されているものである。
【発明の効果】
【００１１】
本発明によれば、蓋部材に支持部材に対して該蓋部材を閉じた状態で噴霧液貯留ユニットが備える芯材の水平方向を向く前面と対向するように噴霧口を形成すると共に該蓋部材の内側に噴霧口と向かい合う振動子を設置し、支持部材に対して蓋部材を閉じた状態において該蓋部材の内側に設置された振動子を支持部材に支持された噴霧液貯留ユニットが備える芯材の水平方向を向く前面に対して押圧状態で密着する構造にしたので、支持部材に対して蓋部材を開くことによって同時に芯材から振動子が取り外された状態となり、支持部材に支持された噴霧液貯留ユニットを容易に着脱することができるという作用効果を得ることができる。
【００１２】
従って、本発明の産業上利用性は非常に高いといえる。
【図面の簡単な説明】
【００１３】
【図１】実施の形態１に係る液体噴霧装置の外観を示した斜視図である。
【図２】図１に示す液体噴霧装置における蓋部材の内側を示した正面図である。
【図３】図２に示す蓋部材のＡ−Ａ断面を示した断面図である。
【図４】図１に示す液体噴霧装置における支持部材の内側を示した正面図である。
【図５】図４に示す支持部材のＢ−Ｂ断面を示した断面図である。
【図６】図１に示す液体噴霧装置の中央縦断面を示した断面図である。
【図７】図１に示す液体噴霧装置における蓋部材と支持部材との開閉状態を示した説明断面図である。
【図８】実施の形態２に係る吸液部材の中央縦断面を示した断面図である。
【発明を実施するための形態】
【００１４】
以下、本発明の実施の形態を説明する。
【００１５】
実施の形態１．
【００１６】
本実施の形態に係る液体噴霧装置１は、図１に示すように、前面側を構成する蓋部材２と、後面側を構成する支持部材３とからなるケース本体４（本体）を備えており、ケース本体４の内部には、図２及び図３に示すように、噴霧液を貯留する噴霧液貯留ユニット５と、噴霧液貯留ユニット５に貯留された噴霧液を噴霧化する振動子ユニット６と、振動子ユニット６に電力を供給する電源ユニット７とが収納されている。
【００１７】
蓋部材２は、図１乃至図３に示すように、略中央に噴霧化された噴霧液を排出する噴霧口８が設けられた前面９から後方に向かって左・右側面１０，１１及び上・下面１２，１３が立ち上がるように伸びており、左・右側面１０・１１は、上・下面１２・１３よりも長尺状に伸びている。そして、左・右側面１０・１１の内側には、後方上端部に支持部材３と連結するための嵌合軸１４，１４が対向状に突出しており、また、噴霧口８よりも上方に当たる位置に振動子ユニット６を支持するための支持板１５，１５が対向状に設けられている。なお、両支持板１５，１５には、連結穴１６が形成されており、連結穴１６は、円形穴１７と該円形穴１７から点対称に伸びる一対の扇形穴１８，１８とから構成されている（図３に示された連結穴の拡大図参照）。また、下面１３には、一対のロック穴１９，１９が設けられている。
【００１８】
支持部材３は、図４及び図５に示すように、蓋部材２の両側面に挟まれるように配置される後面２０から前方に向かって左・右側面２１・２２及び上・下面２３・２４が立ち上がるように伸びており、蓋部材２の上面１２と支持部材３の上面２３とでケース本体４の上面が形成されると共に、蓋部材２の下面１３と支持部材３の下面２４とでケース本体４の下面が形成される。そして、左・右側面２１・２２の上端部には、蓋部材２の嵌合軸１４，１４が嵌り込む嵌合穴２５，２５が形成されている。よって、蓋部材２は、支持部材３の嵌合穴２５，２５に嵌り込んだ嵌合軸１４，１４を回転軸として支持部材３に対して回動可能に連結される。
【００１９】
また、支持部材３の内側には、上部に電源ユニット７が固定されると共に、下部に噴霧液貯留ユニット５が設置される。さらに、支持部材３の内側における下端部には、図６に示すように、横向きＵ字状の弾性板２６が上側に位置する先端のみを後面２０に固定して前方に突出しており、弾性板２６から下方に向かって突出したロックピン２７が弾性板２６の撓みによって上下方向に移動可能になっている。これにより、支持部材３に対して蓋部材２を閉じた際に、支持部材３のロックピン２７が蓋部材２のロック穴１９に嵌り込んで支持部材３に対する蓋部材２の開閉がロックされる。
【００２０】
噴霧液貯留ユニット５は、図４及び図６に示すように、噴霧液を貯留する貯留タンク２８と、貯留タンク２８から噴霧液を吸い上げる吸液ホルダー２９とから構成されている。
【００２１】
貯留タンク２８は、吸液ホルダー２９を差し込むための開口部３０を上面に有している。そして、開口部３０の外側面は、元端側がネジ溝状に形成されていると共に、先端側が大径状に形成されており、ネジ状に形成された部分と大径状に形成された部分との間に両部分よりも小径状に形成された挟持面３１が形成されている。
【００２２】
吸液ホルダー２９は、貯留タンク２８の開口部３０に嵌り込んで固定される外筒部３２と、外筒部３２の中空に通されて貯留タンク２８の内部から外部へと伸びる内筒部３３とを備えており、内筒部３３の中空に貯留タンク２８内の噴霧液を毛細管現象を利用して吸い上げる芯材３４が固定されている。なお、外筒部３２と内筒部３３とは、両筒部３２，３３間の一部を残した残部が連結橋３５によって連結されており、両筒部３２，３３間の連絡橋３５によって連結されていない部分から芯材３４によって余分に吸い上げられた噴霧液が貯留タンク２８内に戻るようになっている。また、内筒部３３の先端部分は、芯材３４を露出するように前面が切り欠かれており、芯材３４の左・右側面、後面及び上面に宛がわれる各壁面によって包囲部３６が形成されている。
【００２３】
なお、貯留タンク２８の開口部３０に形成されたネジ溝にキャップ（図示せず）をネジ止めすることによって貯留タンク２８から噴霧液が蒸発することを防止することができる。
【００２４】
また、芯材３４は、断面矩形状に形成されている。芯材３４の素材としては、フェルト、天然パルプからなる不織布、ポリプロピレンやポロエチレン等の繊維を撚糸したものを使用すればよい。
【００２５】
電源ユニット７は、図４乃至図６に示すように、電池や制御基板を収納するためのボックス部３７と、ボックス部３７から下方に伸びる一対の支持片３８，３８に支持される挟持板３９と、ボックス部３７の前面に設けられた保持溝４０とから構成されている。挟持板３９には、図５に示すように、前方に向かって開口するC字状の挟持部４１が形成されており、挟持部４１は、貯留タンク２８の挟持面３１と合致する内径を有している。そして、電源ユニット７の挟持部４１によって貯留タンク２８の挟持面３１を挟んだ際に、貯留タンク２８の開口部３０から上方に伸びる内筒部３３の包囲部３６が保持溝４０に嵌り込んだ状態となる。
【００２６】
なお、電源ユニット７の電源電圧は、ＤＣ4.5Ｖ、6.0Ｖ、7.5Ｖを使用すればよい。
【００２７】
振動子ユニット６は、図２及び図３に示すように、凹状の支持アーム４２と、支持アーム４２の横棒部４３中央に固定される振動子４４とから構成されており、支持アーム４２の縦棒部４５，４５は、横棒部４３から傾斜して伸びている。なお、横棒部４３には、振動子４４の両側に平行に位置付けられる一対の保護片４６，４６が設けられている。支持アーム４２の縦棒部４５，４５先端には、外方へ向かって突出する連結軸４７が設けられており、連結軸４７は 円形軸４８と該円形軸４８から点対称に伸びる規制軸４９，４９とを備えている（図３に示された連結軸の拡大図参照）。そして、支持アーム４２は、両連結軸４７を蓋部材２の内側に設けられた支持板１５の連結穴１６に嵌め込むことにより、蓋部材２の両支持板１５に対して回動可能に架け渡された状態となる。但し、支持アーム４２の回動は、連結軸４７の規制軸４９と連結穴１６の扇形穴１８との干渉によって規制される。
【００２８】
次に、本実施の形態に係る液体噴霧装置１の組み立て方法を説明する。
【００２９】
先ず、支持部材３の上部に電源ユニット７を固定する。また、蓋部材２の両支持板１５に形成された連結穴１６に支持アーム４２の連結軸４７を嵌め込んで該蓋部材２の両側面に支持アーム４２を架け渡す。続いて、蓋部材２の両嵌合軸１４を支持部材３の両嵌合穴２５に差し込んで支持部材３に対して蓋部材２を回動可能に連結する。この後、電源ユニット７から伸びる電線（図示せず）を振動子ユニット６の振動子４４に連結させる。続いて、貯留タンク２８に吸液ホルダー２９を差し込んでなる噴霧液貯留ユニット５の挟持面３１を電源ユニット７の挟持板３９に嵌め込むことにより、支持部材３の下部に噴霧液貯留ユニット５を固定する。最後に、支持部材３に対して蓋部材２を閉じ、支持部材３のロックピン２７を蓋部材２のロック穴１９に嵌め込むことにより、支持部材３に対する蓋部材２の開閉をロックする。
【００３０】
そして、組み上がった液体噴霧装置１においては、蓋部材２の噴霧口８から振動子４４と該振動子４４が密着した芯材３４とが覗いた状態となり、電源ユニット７から電力を供給して振動子４４を振動させると、振動子４４の振動によって芯材３４に保持された噴霧液が噴霧化して噴霧口８からケース本体４の外部へと発散される。なお、振動子４４と密着する芯体３４の先端部は、前面以外の各面が包囲部３６によって囲まれているため、振動子４４によって噴霧化した霧状の噴霧液がケース本体４の内部へと発散することが防止される。
【００３１】
なお、噴霧液貯留ユニット５を取り替える際には、蓋部材２のロック穴１９にピン（図示せず）を差し込んでロックピン２７を内方へ押すことによって支持部材３に対する蓋部材２のロックを解除し、支持部材３に対して蓋部材２を上方へ回動させる。次に、電源ユニット７の挟持板３９から古い噴霧液貯留ユニット５を取り外し、当該挟持板３９に新しい噴霧液貯留ユニット５を固定する。最後に、支持部材３に対して蓋部材２を閉じてロックすればよい。
【００３２】
次に、本実施の形態に係る液体噴霧装置１の支持部材３に対して蓋部材２を開閉した際における支持アーム４２と芯材３４との位置関係を図７に基づいて説明する。なお、図７においては、ケース本体４の下部及び電源ユニット７が省略されており、支持アーム４２の連結軸４７と支持板１５の連結穴１６との関係を示す拡大図が示されている。
【００３３】
先ず、支持部材３に対して蓋部材２を完全に閉じると、図７の（ａ）に示すように、芯材３４の前面に支持アーム４２に固定された振動子４４の後面全体が密着した状態となる。この時、連結軸４７の規制軸４９が連結穴１６の扇形穴１８に干渉しない状態となり、これにより、支持アーム４２は支持板１５に対して前後方向への回動できるようになる。さらに、支持アーム４２の回動軸に対して横棒部４３や振動子４４が前方に位置付けられているため、支持アーム４２の重心が回動軸に対して後方に位置付けられ、支持アーム４２には常に後方へ回動する力が働く。このため、芯材３４の前面には、支持アーム４２に固定された振動子４４が押圧状態で密着した状態となる。
【００３４】
次に、支持部材３に対して蓋部材２を完全に開くと、図７の（ｂ）に示すように、芯材３４の前面から支持アーム４２に固定された振動子４４の後面が離れた状態となる。この時、連結軸４７の規制軸４９が連結穴１６の扇形穴１８に干渉した状態となり、これにより、支持アーム４２が支持板１５に対してある程度後方向へ回動すると、支持アーム４２の支持板１５に対する後方向への回動が規制される。
【００３５】
次に、支持部材３に対して蓋部材２を閉じると、図７の（ｃ）に示すように、芯材３４の前面に支持アーム４２に固定された振動子４４の下端が接触した状態となる。この時、連結軸４７の規制軸４９が連結穴１６の扇形穴１８に干渉しない状態となり、これにより、支持アーム４２は支持板１５に対して前後方向への回動できるようになる。さらに、支持アーム４２の回動軸に対して横棒部４３や振動子４４が前方に位置付けられているため、支持アーム４２の重心が回動軸に対して後方に位置付けられ、支持アーム４２には常に後方へ回動する力が働く。このため、芯材３４の前面には、支持アーム４２に固定された振動子４４の下端が押圧状態で接触した状態となる。
【００３６】
そして、支持部材３に対して蓋部材２を完全に閉じると、図７の（ａ）に示す状態に戻る。
【００３７】
実施の形態２．
【００３８】
本実施の形態は前記実施の形態１における吸液ホルダーの内筒部の変形例であり、図８において、図１〜図７と同一の符号は同一又は相当部分を示している。
【００３９】
本実施の形態に係る内筒部５０においては、図８に示すように、貯留タンク２８内に収納される部分の側面に大きな開口５１が形成されており、また、内筒部５０の中空に長さの異なる二つの断面円形状の芯材５２，５３が収納されている。なお、内筒部５０の貯留タンク２８の開口部３０から上方に位置する部分には、短尺状の芯材５２が収納されており、内筒部５０の貯留タンク２８の開口部３０から下方に位置する部分には、長尺状の芯材５３が収納されている。
【００４０】
本実施の形態においては、吸液ホルダーを構成する芯材を内筒部の貯留タンクの開口部を境界として二分割としたので、振動子が押圧状態で接触して比較的形状が変形し易い芯材の上端部のみを容易に付け替えることができる。
【００４１】
本発明における噴霧液としては、芳香剤、消臭剤又は殺菌剤などがあるが、これに限定されることなく、振動子の超音波振動によって噴霧化できる薬剤であれば、他のものであってもよい。
【００４２】
前記実施の形態１においては、芯材に支持アームに固定された振動板を押圧状態で密着させる際に、支持アームの回動軸に対する重心を該回動軸よりも前方に位置付けることにより、支持アームに対して後方へ回動する力を働かせる手段を採用しているが、当該手段に限定されることなく、例えば、支持アームと支持板との連結部分にバネなどの弾性体を配置して支持アームが常に後方へ押圧された状態に保つ手段も採用することができる。
【符号の説明】
【００４３】
１  液体噴霧装置
２  蓋部材
３  支持部材
４  ケース本体
５  噴霧液貯留ユニット
６  振動子ユニット
７  電源ユニット
８  噴霧口
９  前面
１０  左側面
１１  右側面
１２  上面
１３  下面
１４  嵌合軸
１５  支持板
１６  連結穴
１７  円形穴
１８  扇形穴
１９  ロック穴
２０  後面
２１  左側面
２２  右側面
２３  上面
２４  下面
２５  嵌合穴
２６  弾性板
２７  ロックピン
２８  貯留タンク
２９  吸液ホルダー
３０  開口部
３１  挟持面
３２  外筒部
３３  内筒部
３４  芯材
３５  連結橋
３６  包囲部
３７  ボックス部
３８  支持片
３９  挟持板
４０  保持溝
４１  挟持部
４２  支持アーム
４３  横棒部
４４  振動子
４５  縦棒部
４６  保護片
４７  連結軸
４８  円形軸
４９  規制軸
５０  内筒部
５１  開口
５２，５３  芯材
【図１】
0005858384.tif 000002
【図２】
0005858384.tif 000003
【図３】
0005858384.tif 000004
【図４】
0005858384.tif 000005
【図５】
0005858384.tif 000006
【図６】
0005858384.tif 000007
【図７】
0005858384.tif 000008
【図８】
0005858384.tif 000009